(57)【要約】【課題】ロータを損傷することなく、駆動軸に対してロータを確実に回り止め固定し、効率的に軽量化することのできる魚釣用リールを提供すること。【解決手段】ハンドル３２の回転操作で連動回転する駆動軸２２の前部をリール本体１２から突出し、この駆動軸の前部に回り止め嵌合するロータ６０を、駆動軸の外周部に形成した雄ネジ２２ｃに螺合するナット８８でこの駆動軸に締結する魚釣用リールであって、ナットは、ロータの前端面６７に係合する係合面９０ａを一端側の端面に形成した円筒部９０と、この円筒部の他端側で、円筒部よりも外方に突出して外周面を非円形状に形成した操作部９２とを有し、このナットの係合面９０ａをロータの前端面６７ａに圧接して、ロータ６０を駆動軸２２に締付け固定する魚釣用リール。【選択図】      図３
2009112287.tif 000002
【特許請求の範囲】
【請求項１】
ハンドルの回転操作で連動回転する駆動軸の前部をリール本体から突出し、この駆動軸の前部に回り止め嵌合するロータを、駆動軸の外周部に形成した雄ネジに螺合するナットでこの駆動軸に締結する魚釣用リールであって、
前記ナットは、ロータの前端面に係合する係合面を一端側の端面に形成した円筒部と、この円筒部の他端側で、円筒部よりも外方に突出して外周面を非円形状に形成した操作部とを有し、このナットの係合面をロータの前端面に圧接して、ロータを駆動軸に締付け固定することを特徴とする魚釣用リール。
【請求項２】
中空構造に形成された前記駆動軸に挿通されるスプール軸を、前記ナットの収容凹部内に収容した軸受を介して支え、前記操作部の非円形状の外周面に嵌合する非円形凹部を形成したナット回り止め部材を前記ロータの前端面にネジ止めし、このナット回り止め部材の前記非円形凹部の内周側に突出させた係止部により、前記ナットの収容凹部に設けた軸受の軸方向規制を可能とした請求項１に記載の魚釣用リール。
【請求項３】
前記ナットの収容凹部内に、このナットとスプール軸との間をシールするシール部材を配置し、このナットに装着した係止板により、このシール部材を介して前記軸受を抜け止めする請求項２に記載の魚釣用リール。
【請求項４】
前記ナット回り止め部材の前部に、釣糸が侵入するのを防止する係止突起が設けられる請求項２又は３に記載の魚釣用リール。
【請求項５】
前記ナットは、前記円筒部の前記一端側に径方向外方に突出するフランジ部を有し、このフランジ部の端面に、前記係合面が形成される請求項１から４のいずれか１つに記載の魚釣用リール。
【発明の詳細な説明】
【技術分野】
【０００１】
本発明は、釣竿に装着されて釣糸を巻き取る魚釣用リールに関する。
【背景技術】
【０００２】
通常、このような魚釣用リールは、ハンドルの回転操作で連動回転する駆動軸の前部をリール本体から突出し、この駆動軸の前部に回り止め嵌合するロータが、駆動軸の外周部に形成した雄ネジに螺合するナットでこの駆動軸に締結される。
【０００３】
このような魚釣用リールの駆動軸とロータとの嵌合部は、リール本体から突出する駆動軸の前部に横断面形状が非円形の非円形部と雄ネジ部とを順に形成し、この駆動軸の非円形部に対応する非円形の内周面を形成したロータを、駆動軸の非円形部に回り止め嵌合した後、ナットを駆動軸の雄ネジ部に螺合し、このナットを駆動軸の雄ネジ部に締付けることにより、駆動軸上にロータを固定することが行われている（例えば特許文献１参照）。
【特許文献１】特開２００４−２２２５７９
【発明の開示】
【発明が解決しようとする課題】
【０００４】
しかし、ナットのロータ側は、ロータの非円形部すなわち駆動軸に回り止めされる装着部に対して、径方向外方に向けて押圧力を作用させる形状となっている。このため、ナットの押圧力が軸方向に沿って直線状にロータに作用せず、径方向外方に分散し、駆動軸に対してロータを回り止め嵌合するための十分な力を得るのが困難である。一方、ナットをより強い力で締付けると、特に、径方向外方に作用する力が、ロータの装着部に作用して、この装着部にクラック、変形、破損等の不具合を生じさせることになる。
【０００５】
また、金属製ナットのロータ側が、ロータの装着部に対して径方向外方に押圧力を作用させる形状に形成されることにより、このナットの軸方向寸法が大きくなり、魚釣用リールの全体の重量が増大し、軽量化を阻害する。
【０００６】
本発明は、このような事情に基づいて成されたもので、ロータを損傷することなく、駆動軸に対してロータを確実に回り止め固定し、効率的に軽量化することのできる魚釣用リールを提供することを目的とする。
【課題を解決するための手段】
【０００７】
上記目的を達成する本発明の魚釣用リールは、ハンドルの回転操作で連動回転する駆動軸の前部をリール本体から突出し、この駆動軸の前部に回り止め嵌合するロータを、駆動軸の外周部に形成した雄ネジに螺合するナットでこの駆動軸に締結する魚釣用リールであって、前記ナットは、ロータの前端面に係合する係合面を一端側の端面に形成した円筒部と、この円筒部の他端側で、円筒部よりも外方に突出して外周面を非円形状に形成した操作部とを有し、このナットの係合面をロータの前端面に圧接して、ロータを駆動軸に締付け固定することを特徴とする。
【０００８】
中空構造に形成された前記駆動軸に挿通されるスプール軸を前記ナット内に収容した軸受を介して支える場合には、前記操作部の非円形状の外周面に嵌合する非円形凹部を形成したナット回り止め部材を前記ロータの前端面にネジ止めし、このナット回り止め部材の前記非円形凹部の内周側に突出させた係止部により、前記ナット内に設けた軸受を軸方向規制することが好ましい。
【０００９】
また、前記ナットの収容凹部内に、このナットとスプール軸との間をシールするシール部材を配置し、このナットに装着した係止板により、このシール部材を介して前記軸受を抜け止めすることもできる。
【００１０】
更に、前記ナット回り止め部材の前部に、釣糸が侵入するのを防止する係止突起が設けられてもよい。
【００１１】
前記ナットは、前記円筒部の前記一端側に径方向外方に突出するフランジ部を有し、このフランジ部の端面に、前記係合面が形成されてもよい。
【発明の効果】
【００１２】
このような特徴を備える本発明の魚釣用リールは、ナットの締付け力が円筒状部の一端側に形成した係合面を介してロータの前端面に軸方向に直接的に作用させることができ、ロータに径方向外方の無用の力を作用させて損傷させることなく、駆動軸に対してロータを確実に回り止め固定し、効率的に軽量化することができる。
【００１３】
中空構造に形成された駆動軸に挿通されるスプール軸をナット内に収容した軸受を介して支える場合には、ロータの前端面にネジ止めしたナット回り止め部材の係止部が、ナット内に設けた軸受を軸方向規制することにより、軸受にガタ付きを生じさせることなく、ロータおよびスプール軸を安定した状態で支えることができる。
【００１４】
ナットの収容凹部内に、このナットとスプール軸との間をシールするシール部材を配置し、このナットに装着した係止板により、このシール部材を介して軸受を抜け止めする場合には、ナットに軸受とシール部材とを装着したユニット構造とすることができる。
【００１５】
また、ナット回り止め部材の前部に、釣糸が侵入するのを防止する係止突起が設けられる場合には、釣糸がスプール軸側に侵入するのを防止することができる。
【００１６】
また、ナットの円筒部の一端側に、径方向外方に突出するフランジ部を設け、このフランジ部の端面に、ロータに係合する係合面が形成される場合には、ロータとの係合面積を増大させ、より安定した状態でロータを締付け固定することができる。
【発明を実施するための最良の形態】
【００１７】
図１から図６は、本発明の好ましい実施形態による魚釣用リール１０を概略的に示す。
【００１８】
図１に示すように、本実施形態の魚釣用リール１０はスピニングリールとして形成してあり、剛性構造のリールボディ１２ａの側部開口１４ａを蓋体１２ｂで閉塞したリール本体１２を備え、この蓋体１２ｂの固定ネジ１６を取外すことで、内部空間Ｓを外部に露出させることができる。また、リールボディ１２ａの後端側には、切欠き１４ｂを形成し、この切欠き１４ｂを後部キャップ１８で閉じてあり、この後部キャップ１８の固定ネジ２０を取外すことにより、後端側でも内部空間Ｓを開閉することができる。この魚釣用スピニングリール１０は、通常と同様に、リールボディ１２ａから上方に延出する脚部（図示しない）を介して釣竿に取り付けられる。
【００１９】
リール本体１２内には、通常のスピニングリールと同様に、後述するロータを駆動するための中空駆動軸２２を回転駆動する駆動機構２４およびこの中空駆動軸２２内に挿通されたスプール軸２６をこの軸方向に沿って一定のストロークで前後方向に往復動する公知のオシレーティング機構が収容されており、このオシレーティング機構の摺動子２８が止めネジ３０でスプール軸２６の後端部に固定されている。これらの駆動機構２４およびオシレーティング機構は、一端にハンドル３２が連結されるハンドル軸３４により、互いに同期して作動される。
【００２０】
本実施形態のハンドル軸３４は中空構造を有し、それぞれリールボディ１２ａと蓋体１２ｂとに設けられた軸受３６ａ，３６ｂを介してリール本体１２で回転自在に支持されている。このハンドル軸３４には、後述する駆動歯車３４ａが一体に形成される。このハンドル軸３４の両端部には、雌ネジを形成してあり、一方の端部に、ハンドル３２に基端部を枢着ピン３８で枢着されたネジ部材４０の先端部が螺合することで装着される。したがって、ハンドル軸３４は軸受３６ａ，３６ｂと共にハンドル装着部を形成する。
【００２１】
このハンドル３２を装着するためのネジ部材４０は、スタンド部材４２に挿通されており、ハンドル３２を介してハンドル軸３４内に締付けられると、スタンド部材４２の内周側突条４２ａがハンドル軸３４の端面に当接し、ネジ部材４０の締付け力で、ハンドル３２およびスタンド部材４２をハンドル軸３４に強固に固定する。スタンド部材４２は、ハンドル３２をリール本体１２から離隔させ、後述するロータとの干渉を防止しつつ自由に回転可能とする。また、この内周側突条４２ａの外周側に配置した外周側突条４２ｂは、リール本体１２から突出する環状突起１３ａを僅かな間隙を介して囲み、リール本体１２の内部空間Ｓ内に異物が侵入するのを防止する。
【００２２】
このネジ部材４０を緩め、スタンド部材４２とハンドル３２との間に間隙を形成すると、枢着ピン３８を中心としてハンドル３２を回転し、持運びあるいは保管に便利な折り畳み状態とすることができる。この折り畳み状態からハンドル３２を介してネジ部材４０をハンドル軸３４内に締め込むとことで簡単に、釣糸巻取り状態に復帰させることができる。
【００２３】
また、ハンドル軸３４の反対側には、蓋体１２ｂに形成した環状突起１３ｂを囲む軸受キャップ４４を取り付けてあり、異物の侵入が防止されている。この軸受キャップ４４を取り外して、ハンドル３２およびスタンド部材４２を取付けることにより、ハンドル３２をリール本体１２の一側から他側に自由に付け換えることができる。いずれの場合も、釣糸巻回方向にネジ部材４０を締め付けることにより、ハンドル３２とハンドル軸３４とが一体化され、釣糸巻取り状態とすることができる。
【００２４】
リール本体１２の内部空間Ｓ内では、ハンドル軸３４と一体に形成された駆動歯車３４ａと共に駆動機構２４を形成するピニオン２２ａが、ハンドル軸３４と直交する方向に延設された駆動軸２２の外周部に形成されており、このピニオン２２ａは駆動歯車３４ａと常時噛合した状態に配置されている。このピニオン２２ａを形成した中空駆動軸２２は、ハンドル軸３４の軸受３６ａ，３６ｂを配置したハンドル装着部から前方に突出する前部Ｆ内で前方に延び、ハンドル軸３４に近接した後端側が軸受４６ａを介してリール本体１２で支えられ、前方部位を、リール本体１２の前部内に配置した軸受４６ｂを介して支えられ、前端側がこのリール本体１２の前部Ｆから突出し、リール本体１２に対して自由に回転することができる。この中空駆動軸２２は、軸方向に貫通する内孔内に、先端部にスプール５０を装着するスプール軸２６を前後方向に摺動自在に案内する。
【００２５】
このスプール軸２６は、中空駆動軸２２の先端側から突出する先端部に断面非円形部２６ａと、ネジ部２６ｂとを順に形成してあり、この断面非円形部２６ａにストッパ４８ａを介して装着されたスプール５０が、袋ナット状に形成した締付けネジ４８ｂにより、スプール軸２６の先端部に取外し可能に装着される。
【００２６】
本実施形態では、ストッパ４８ａは断面非円形部２６ａに対応した挿通孔を有する板状に形成してあり、この断面非円形部２６ａの後端部に回り止めされた状態で係止され、後方すなわちリール本体１２側への移動を阻止されている。そして、スプール５０は、円筒状あるいはテーパ状の周面を有する胴部５２の前後に、径方向外方に突出するフランジ部５２ａ，５２ｂを形成し、この胴部５２の前端側を閉じる前壁部５４の中央部から、後方の開口側に向けて、短軸部５６が突出する。
【００２７】
この短軸部５６には、断面非円形部２６ａに対応する断面形状を有する挿通孔が軸方向に貫通しており、この断面非円形部２６ａ上で回り止めされた状態でスプール軸２６に装着され、締め付けネジ４８ｂをネジ部２６ｂに締付けることにより、ストッパ４８ａに締付けられ、固定される。
【００２８】
また、短軸部５６が配置される前壁部５４には、短軸部５６を囲んで、多数の軸方向貫通孔５５を等間隔に形成してある。これらの貫通孔５５は、スプール５０を軽量化すると共に、魚釣り操作時の空気抵抗を小さくする構造に形成してあり、外方に開口する後端側には、釣糸が内部に入り込むのを防止するスカートあるいは内側フランジ部５８が形成される。なお、胴部５２に、周方向に沿って多数の凹溝を形成してもよく、この場合には、スプール５０に巻き取った釣糸が移動して緩むのを防止することができる。
【００２９】
このスプール５０をスプール軸２６に取付ける締付けネジ４８ｂは、釣糸が引っ掛かるのを防止するために、前壁部５４からの突出量をできる限り小さくし、また、その周部は可能な限り滑らかな外面で形成することが好ましい。
【００３０】
スプール５０に釣糸を巻回するロータ６０は、スプール５０が軸方向に沿って前後動するときに、後方開口端を介してこのスプール５０内に出入りするロータボディ６２を有する。このロータボディ６２は後方に開口する後方開口部６２ａと前方に開口する前方開口部６２ｂとを有し、リール本体１２の前方部位を囲む周壁部６４の前端部で径方向に延びる連結壁部６６に設けた筒状の駆動部６８を介して、中空駆動軸２２に連結される。更に、ロータ６０は、周壁部６４の後方開口端すなわちハンドル軸３４側の径方向に対向した部位から延出する一対の腕部７０，７０有する。これらの腕部７０，７０は、周壁部６４の後方開口端から前方に向けてスプール軸２６の軸方向に沿って先細状に延び、ロータボディ６２との間に、スプール５０の胴部５２を受け入れる間隙を形成する。
【００３１】
これらの腕部７０，７０の先端部に取付けられたベール７２は、釣糸をスプール５０上に案内する釣糸巻取位置とスプール５０から自由に放出させる釣糸放出位置との間を自在に反転することができる。このベール７２の一方の端部は、釣糸案内部７２ａを装着した支持脚７３を介して腕部７０に取り付けられ、一部を概略的に示す振り分けバネ機構７４により、釣糸巻取位置と釣糸放出位置との一方に保持され、ハンドル３２を釣糸巻回方向に反転後、ベール７２を手動操作で釣糸巻取位置へ復帰させたり、図示しない反転復帰機構により、釣糸巻取位置へ自動復帰される。
【００３２】
また、ロータボディ６２の周壁部６４は、前端側を連結壁部６６で閉じ、後方開口部６２ａ内に駆動部６８を収容し、軸方向の中間部位の屈曲部６４ａを挟んで、前方よりも後方側でより大きな角度で径方向外方に向けて拡径する。この周壁部６４の後方開口端に隣接する部位には、この周壁部６４を径方向に貫通する径方向開口部６３（図２参照）が形成されており、この径方向開口部６３は、周壁部６４の後方開口端から屈曲部６４ａを超えて連結壁部６６側の位置まで、開口幅を狭めつつ軸方向に沿って延びる。
【００３３】
図２に示すように、本実施形態のロータ６０は、４つの径方向開口部６３が、周壁部６４の後方開口端に隣接した部位で径方向に対向させて形成してあり、各腕部７０にも周壁部６４の径方向開口部６３に対応した径方向開口部７１が形成してある。この腕部７０の径方向開口部７１は、周壁部６４の径方向開口部６３と径方向に整合した位置に配置されており、後方に向けて開口する。したがって、腕部７０に形成した径方向開口部７１は、周壁部６４の対応する径方向開口部６３と連続した開口部を形成する。これにより、いずれの径方向開口部６３，７１も、内部に配置したリール本体１２の前部Ｆを外部に大きく露出し、この径方向開口部６３，７１を介して、外部から例えば蓋体１２ｂの固定ネジ１６を締付けあるは取外すことができる。
【００３４】
一方、周壁部６４の腕部７０，７０間に形成された２つの径方向開口部６３の内の一方は、弧状の連結片６４ｂをその後端部に設けてあり、この周壁部６４と一体形成される部位によって、ベール７２および釣糸案内部７２ａ等のアンバランス部材に対するバランス化を図り、ロータ６０を滑らかに回転させることができる。リール本体１２から突出する軸受キャップ４４及びハンドル軸３４に連結するスタンド部材４２を、リール本体１２の前部Ｆにフランジ部が形成されていないので、従来のような形状的な制約が少なくなり、ロータ６０の後端部の極近接する位置まで、ロータ６０の凹部６１内にリール本体１２の前部Ｆを挿入することが可能となり、魚釣用スピニングリール１０の軸方向寸法を可級的に短くすることができる。
【００３５】
図１に示すように、ロータ６０の凹部６１内に挿入されるリール本体１２の前部Ｆ内では、中空駆動軸２２のピニオン２２ａよりも前方部位が、断面非円形の外面形状を有してロータ６０の駆動部６８を回り止め嵌合する作動部２２ｂとして形成してあり、この作動部２２ｂの後端部に、前側軸受４６ｂであるボール軸受が装着される。この軸受４６ｂの内輪が作動部２２ｂの後端で支えられ、外輪はリール本体１２のリールボディ１２ａに形成した環状段部７８ａ内に収容され、後方への移動を阻止される。
【００３６】
更に、こ前部Ｆ内では、軸受４６ｂの前方にスペーサ７６を介して一方向クラッチ７８を装着し、押え板８０とリテーナ８２との間に介挿したシール部材８４をリールボディ１２ａの先端面に固定する止めネジ８６により、前方に抜出るのを防止している。これらの軸受４６ｂおよび一方向クラッチ７８は、リールボディ１２ａの内面側に形成された段部で、外周側後端部を係止し、後方への移動を阻止しされる。したがって、前部Ｆの先端部すなわち軸受４６ｂおよび一方向クラッチ７８を収容する部位は、前部Ｆ内で、中空駆動軸２２を軸方向移動を阻止しつつ回転自在に支える。
【００３７】
なお、この前部Ｆに配置された一方向クラッチ７８は、リール本体１２の後端部に配置した公知の操作レバー（図示しない）を切換操作することにより、釣糸繰り出し方向への中空駆動軸２２、つまりロータ６０の逆回転を阻止する逆転防止位置と、正回転および逆回転を許容する規制解除位置とに自由に切換えることができる。
【００３８】
本実施形態のシール部材８４は、環状のリテーナ８０で押圧される環状の基部８４ａの内周側から前方かつ半径方向内方に向けて傾斜した状態に延びるリップ部８４ｂを有する環状の板状に形成されている。このリップ部８４ｂは、先端すなわち内周側に向けて肉厚が次第に減少し、内周縁部は丸められている。これにより、リップ部８４ｂがどの位置にあっても、相手方のロータ６０の駆動部６８の外周面に損傷を与えることなく、わずかに内周が拡開変形して弾性的にシール係合する。これにより、前部Ｆの内部が密封される。
【００３９】
このシール部材８４が駆動部６８の周囲すなわち外周面に摺接係合する駆動部６８の後方部は、外部の圧力で内方に湾曲してシール効果が低下するのを防止するため、前方部より段部を介して小径に形成されている。また、このシール部材８４は駆動部６８の外周面との間に好適なシール効果を形成するものであれば適宜材料の弾性材で形成することができるが、ゴム製の材料で形成することが好ましい。いずれの場合も、シール部材８４は、ロータ６０の径方向開口部６３よりも連結壁部６６側に配置し、スプール５０が前方に移動した場合であっても、径方向開口部６３から外部に露出させないことが好ましい。
【００４０】
本実施形態のロータ６０は、このように形成されたリール本体１２の前部Ｆから突出する中空駆動軸２２の前部である作動部２２ｂに回り止め嵌合される。このロータ６０は、駆動部６８の後端を一方向クラッチ７８の内輪部材を兼ねるリテーナ７６の前端に当接され、中空駆動軸２２の先端側外周部に形成した雄ネジ２２ｃに螺合するナット８８により、連結壁部６６を介してこの駆動軸２２に締結される。
【００４１】
図３および図４に示すように、このロータ６０の連結壁部６６には、駆動部６８の周部に沿って複数の軸方向貫通孔６５を形成し、ナット８８の後端側部位を受入れる円形状の前部凹部６７を駆動部６８の前方側に開口させて形成してある。この前部凹部６７の底面６７ａは、中空駆動軸２２の中心軸線に対して垂直方向に配置され、ナット８８の後端面が当接する前端面として作用する。このロータ６０が、リール本体１２の前部Ｆから突出する駆動軸２２の作動部２２ｂに回り止め嵌合され、駆動部６８の後端部が一方向クラッチ７８のリテーナ７６の前端部に当接させると、中空駆動軸２２の先端側部位に形成した雄ネジ２２ｃが前部凹部６７内に配置される。
【００４２】
図３から図６に示すように、ロータ６０を中空駆動軸２２に締結するナット８８は、円筒部９０と、外周面を非円形状に形成した操作部９２とを有し、この内部に軸方向孔を貫通させた中空構造に形成してある。このナット８８は、円筒部９０に形成した雌ネジ８８ａを介して駆動軸２２の雄ネジ２２ｃに螺合し、円筒部９０の一端側にこの円筒部９０の中心軸線に対して垂直に形成される環状端面９０ａが、ロータ６０の前端面すなわち前部凹部６７の底面６７ａに係合する係合面として作用する。
【００４３】
本実施形態では、このナット８８の係合面である環状端面９０ａが形成される一端側は、径方向外方に突出するフランジ部９４を形成してあり、このフランジ部９４の外方に向く端面がロータ６０の前端面（底面６７ａ）に係合する係合面９０ａを形成する。このフランジ部９４により、ナット８８とロータ６０との係合面積が特に径方向外方に拡大する態様で増大し、より安定した状態でロータ６０を駆動軸２２に締付け固定することができ、更に、フランジ部９４と操作部９２との間の円筒部９０の肉厚を薄くし、ナット８８を軽量化することができる。
【００４４】
更に、ナット８８の他端側に形成した操作部９２は、外周面が例えば６角形等の非円形状に形成してあり、一端側の係合面９０ａを底面６７ａに当接させた状態でロータ６０の前部凹部６７内に配置したときに、操作部９２の全体あるいは少なくとも一部がこの前部凹部６７から外方に突出する状態に形成され、ナット８８と中空駆動軸２２との十分なネジ係合量を確保しつつ、ロータ６０の連結壁部６６からのナット８８の突出量を少なくすることができる。
【００４５】
これにより、この操作部９２を介してナット８８を容易かつ確実に締付け操作することができ、中空駆動軸２２に対するロータ６０の取付け、取外しを容易かつ確実に行うことができる。しかも、ナット８８の係合面９０ａが、係合するロータ６０の前端面すなわち底面６７ａは、中空駆動軸２２の中心軸線に対して垂直方向に配置されているため、ナット８８の締付け力Ｐを、ロータ６０の底面６７ａを介して軸方向に直接的に作用させることができ、ロータ６０に径方向外方の無用の力を作用させて損傷させることなく、中空駆動軸２２に対してロータ６０を確実に回り止め固定し、効率的に軽量化することができる。
【００４６】
更に、ナット８８の他端側には、雌ネジ８８ａよりも大径に形成された凹部９６が開口し、スプール軸２６を樹脂製の保護カラー９９を介して支える軸受９８とシール部材１００とを収容している。この凹部９６は、軸受９８およびシール部材１００を収容する収容凹部として作用し、操作部９２に突片部１０２ａを介して取付けた係止板１０２が、これらの軸受９８およびシール部材１００が収容凹部９６から抜け出るのを防止している。
【００４７】
本実施形態では、軸受９８はボール軸受で形成してあり、シール部材１００は、軸受９８の外輪と係止板１０２との間に挟持される厚肉環状構造の基部１００ａの内周側から前方かつ半径方向内方に向けて傾斜した状態に延びるリップ部１００ｂとを有する。このシール部材１００のリップ部１００ｂも、上述の駆動部６８に係合するシール部材８４と同様に、先端すなわち内周側に向けて肉厚が次第に減少し、内周縁部は丸められている。これにより、リップ部１００ｂがどの位置にあっても、相手方のスプール軸２６の外周面に損傷を与えることなく、わずかに内周が拡開変形して弾性的にシール係合する。これにより、ナット８８の収容凹部９６および中空駆動軸２２の内部が密封される。
【００４８】
これらの軸受９８とシール部材１００とをナット８８の凹部９６すなわち収容凹部内に収容配置し、このナット８８の操作部９２に装着した係止板１０２でシール部材１００の基部１００ａを係止し、更に軸受９８を抜け止めすることにより、リップ部１００ｂの弾性を維持しつつナット８８に軸受９８とシール部材１００とを装着したユニット構造に形成することができる。
【００４９】
本実施形態の係止板１００はシール部材１００の基部１００ａと操作部９２の前端面を覆う環状構造の本体部から舌片状に径方向外方に突出する３つの突片部１０２ａ等間隔に形成し、これらの突片部１０２ａを操作部９２の外周面に沿って折り曲げ、その端部を操作部９２の背面に係止させることで、取付け固定してある。このように、係止板１００を介して軸受９８およびシール部材１００をナット８８に一体化したユニット構造とすることにより、これらの部材を一個の部材として取扱うことができ、保守および組付け等が極めて容易となる。
【００５０】
なお、ナット８８、軸受９８およびシール部材１００をこのようなユニット構造とする場合には、係止板１０２の突片部１０２ａが操作部９２の外周面から突出しないように、この突片部１０２ａを収容する溝部を形成してもよい。
【００５１】
このナット８８が使用中に緩むのを防止するため、ロータ６０の連結壁部６６にナット回り止め部材１０４が取付けられる。
【００５２】
図１，図３および図４に示すように、本実施形態のナット回り止め部材１０４は、ナット８８の操作部９２に嵌合する非円形凹部１０６を後方すなわちリール本体１２側に開口させた形状に形成され、ロータ６０の前端面すなわち連結壁部６６の前方側の端面に、例えば２本のねじ１０８で固定されている。このナット回り止め部材１０４の前方側では、非円形凹部１０６の内周側に鍔状の係止部１１０が突出し、この係止部１１０がナット８８の係止板１０２の前面側に当接可能に係合するように配置されており、ナット８８内に設けた軸受９８を、シール部材１００及び係止板１０２を介して、軸方向規制する機能を有している。
【００５３】
これにより、ロータ８８の前端面にネジ止めしたナット回り止め部材１０４の係止部１１０が、ナット８８の凹部９６内から軸受９８およびシール部材１００が抜け出るのを防止し、軸受９８にガタ付きを生じさせることなく、ロータ６０およびスプール軸２６を安定した状態で支えることができる。
【００５４】
なお、ナット回り止め部材１０４の係止部１１０が係止板１０２を係止する場合には、係止板１０２をナット８８の操作部９２に固定するための突片部１０２ａを省略することもできる。更に、このような係止部１１０を更に内方に突出させて、シール部材１００の基部１００ａを直接係止させることも可能であり、この場合には係止板１０２を省略することも可能である。また、係止部１１０は、図示のようにリング状あるいは鍔状に形成することに代え、複数の舌片状部を非円形凹部１０６内に突出させて形成することも可能である。
【００５５】
このナット回り止め部材１０４の非円形凹部１０６は、ナット８８の操作部９２を回り止めできる内面形状を有するものであればどのようなものでもよく、操作部９２の外周部に形成した角部を収容する凹部を更に多く形成することにより、中空駆動軸２２に対するナット８８の締付量を微細に調整し、その調整位置を保持することができる。
【００５６】
図１，図２および図４に示すように、本実施形態では、回り止め部材１０４の前部に更に、前方円筒部１１２が一体的に設けられている。
【００５７】
この前方円筒部１１２は、ナット回り止め部材１０４の前端面から前方に延び、前端が開口し、その外周部には、周方向に沿ってほぼ等間隔に複数の羽根状の係止突起１１４を突出し、その間には凹部１１６を形成してある。これらの係止突起１１４と凹部１１６とはロータボディ６２の前部に凹凸外周部を形成し、この凹凸外周部を形成する複数の凹部１１６と係止突起１１４とが釣糸の係止機能を形成することにより、あらゆる向きからの糸落ちを防止する。
【００５８】
具体的には、様々な向きから侵入した釣糸がの係止突起１１４の側面や角部に引っかかり易く、弛んだ釣糸を凹部１１６内に保持することにより、スプール５０の後方側の開口から内側に入り込んだ釣糸の内側への糸落ちによる糸絡み現象を効果的に防止する。図には、放射状に配置した８つのの係止突起１１４と、これらの間に配置された８つの凹部１１６とを形成してあるが、これらの係止突起１１４および凹部１１６の数および形状は、適宜に変更することが可能である。
【００５９】
例えば、係止突起１１４の外周側縁部を逆テーパ状すなわち後方に向けてスプール軸２６側に縮径する傾斜面で形成し、釣糸が更に前方側に移動するのを防止してもよい。また、係止突起１１４の前側先端部に、径方向外方に突出する突部１１４ａを設け、この突部１１４ａにより、釣糸を係止し、これによりスプール軸２６側に釣糸が入り込む糸落ちを更に確実に防止することもできる。これらの係止突起１１４および突部１１４ａの外周側縁部は、接触した釣糸が損傷するのを防止するために、図４に示すような湾曲面で形成することが好ましい。
【００６０】
この魚釣用リール１０によると、ロータボディ６２の後方開口部６２ａ内に配置された駆動部６８が、リール本体１２内の駆動機構２４で駆動される中空駆動軸２２に一体的に連結され、この駆動部６８の周囲と、中空駆動軸２２を回転自在に支える前部８８の先端部との間に配置されたシール部材９８が、リール本体１２の前部８８内を密封することにより、異物の侵入する隙間がなくなり、リール本体１２の前部Ｆの防水および防塵が確実に図られる。更に、ナット８８の凹部９６に収容した軸受９８がスプール軸２６をガタ付きを生じさせることなく支え、シール部材９６がスプール軸２６との間を密封し、これにより、中空駆動軸２２内への異物の侵入する隙間がなく、リール本体１２から突出する中空駆動軸２２内の防水および防塵を確実に行うことができる。
【００６１】
そして、ナット８８の締付け力Ｐが円筒状部９０の一端側に形成した係合面９０ａを介してロータ６０の連結壁部６６の前端面（凹部６７の底面６７ａ）に軸方向に直接的に作用させることができ、ロータ６０に径方向外方の無用の力を作用させて損傷させることなく、中空駆動軸２２に対してロータ６０を確実に回り止め固定し、効率的に軽量化することにより、このような中空駆動軸２２およびリール本体１２の前部の防水および防塵機能を長期間にわたって維持することができ、その保守も容易に行うことが可能となる。
【００６２】
図７は、他の実施形態による魚釣用リール１０Ａを示す。なお、以下に示す実施形態あるいは変形例は、基本的には上述の実施形態と同様であり、したがって、同様な部位には同様な符号を付し、その詳細な説明を省略する。
【００６３】
この魚釣用リール１０Ａでは、ナット回り止め部材１０４Ａが軽量化されており、上述の実施形態における糸落ち防止用の前方円筒部１１２および係止突起１１４を省略してある。この場合には、スプール５０内の空気抵抗も極めて小さくなる。
【００６４】
特に、釣竿と共に勢いよく振り下ろしながら釣糸放出操作を行う飛距離を競う投げ専用リールにおいては、リール本体の後部側から前方側に向く空気抵抗を受け易く、特にこの釣糸放出操作時の風の抵抗が微妙に釣糸放出操作性を低下させる要因となっていたものであるが、上述のようなリール本体１２の前部Ｆのフランジレス構造に加え、ロータ６０およびスプールの貫通孔６５，５５による空気抵抗の減少、および、スプール５０内の空気抵抗の減少で、釣糸放出操作性を向上させることが可能となり、投げ専用リールに極めて好適に用いることができる。
【００６５】
図８に記載の魚釣用リール１０Ｂは、更に軽量化したナット回り止め部材１０４Ｂを備える。このナット回り止め部材１０４Ｂは、ナット８８の操作部９２が回り止め嵌合する非円形凹部１０６を有する板状に形成してあり、この上述の実施形態における鍔状の係止部１１０を省略してある。このナット回り止め部材１０４Ｂで回り止めされれるナット８８は、例えばカシメ、接着等で固着した係止板１１８により、軸受９８およびシール部材１００を凹部９６から抜け止めしたユニット構造に形成してある。なお、必要な場合には、ロータ６０の連結壁部６６に適宜の支持突起１２０を設け、ナット抜け止め部材１０４Ｂの位置決めを行ってもよい。
【００６６】
なお、上述の実施形態あるいは変形例はリール本体１２のフランジ部を省略した魚釣用スピニングリールに関するものであるが、他の形式の魚釣用リールについても適用可能なことは明らかである。
【図面の簡単な説明】
【００６７】
【図１】本発明の好ましい実施形態による魚釣用リールの部分断面図。
【図２】図１の魚釣用リールに用いるロータの概略的な斜視図。
【図３】図１のＩＩＩ−ＩＩＩ線で囲んだ部分の拡大図。
【図４】図１のロータボディを前方から見た図。
【図５】図１の魚釣用リールのロータを締結するナットの説明図。
【図６】図５のＶ−Ｖ線に沿う断面図。
【図７】変形例による魚釣用リールの一部を示す断面図。
【図８】他の変形例による魚釣用一部の拡大断面図。
【符号の説明】
【００６８】
１０…魚釣用リール、１２…リール本体、２２…駆動軸、６０…ロータ、６７ａ…前端面（底面）、８８…ナット、９０…円筒部、９０ａ…係合面、９２…操作部。
【図１】
2009112287.tif 000003
【図２】
2009112287.tif 000004
【図３】
2009112287.tif 000005
【図４】
2009112287.tif 000006
【図５】
2009112287.tif 000007
【図６】
2009112287.tif 000008
【図７】
2009112287.tif 000009
【図８】
2009112287.tif 000010